(57)【特許請求の範囲】
【請求項１】
補助データを含む放送を受信する放送ラジオ受信器であって、前記補助データは、各放送局が複数の所定の内容タイプのうちのどの内容タイプで動作しているかを同定する内容コードを含み、当該受信器は、
当該受信器を各プリセットボタンに関連付けられる夫々の放送局に再同調するための当該受信器上のプリセットボタンを含み、該プリセットボタンは、通常プリセットモード又はオートセットモードのいずれかで選択的に動作し、各プリセットボタンは、ユーザによって手動で決定される前記通常プリセットモード内の夫々の放送局の周波数とリンクされ、各プリセットボタンは、オートセット走査中に当該受信器によって自動的に割り当てられる前記オートセットモード内の夫々の放送局の周波数とリンクされ、
前記通常プリセットモードにおいて、各プリセットボタンにリンクされる放送局のための夫々の周波数値及び夫々の内容コードを記憶する、通常プリセットメモリと、
前記オートセットモードにおいて、各プリセットボタンとリンクされる放送局のための夫々の周波数値を記憶する、オートセットメモリとを有し、
前記オートセットモードにおいて少なくとも１つの各プリセットボタンとリンクされる放送局は、前記通常プリセットモードにおいて同一のプリセットボタンにリンクされる放送局の内容コードに従って決定される、
放送ラジオ受信器。
【請求項２】
補助データを含む放送を受信する放送ラジオ受信器の同調を行う方法であって、前記補助データは、各放送局が複数の所定の内容タイプのうちのどの内容タイプで動作しているかを同定する内容コードを含み、前記ラジオ受信器は、プリセットボタンと、前記ラジオ受信器をリンクされる周波数に自動的に同調させるリンクを含むメモリとを含み、当該方法は、
１つの受信領域にある放送局を受信するために手動で同調させるステップと、
選択されるプリセットボタンと所望の放送局との間の通常リンクを形成するよう、前記選択されるプリセットボタンをプリセットするステップと、
各所望の放送局から受信される内容コードを前記各所望の放送局がそれらの放送の中に内容コードを含む前記通常リンクの夫々の一部として記憶するステップと、
前記プリセットボタンの割り当てが自動的に決定されるオートセットモードを始動させるステップと、
１つのプリセットボタンに対応する通常リンクの中の内容コードを検索するステップと、
前記検索される内容コードを伝送する受信可能な放送局をサーチするために前記ラジオ受信器を走査同調させるステップと、
前記１つのプリセットボタンと前記検索される内容コードを伝送することが見出される受信可能な放送局との間にオートセットリンクを形成するステップとを含む、
方法。
【請求項３】
受信可能な放送局が一致する内容コードを伝送することが見出される他のプリセットボタンとの間にオートセットリンクを形成するステップと、
あらゆる残余の割り当てられていないプリセットボタンと一致する内容を有さない受信可能な放送局との間にオートセットリンクを形成するステップとをさらに含む、
請求項２に記載の方法。
【発明の詳細な説明】
【０００１】
【発明の属する技術分野】
本発明は概してラジオ受信器のメモリプリセットボタンの自動プログラミングに関し、更に特定的には自動メモリプログラミングが以前に各プリセットボタンに関連づけられた放送局の内容又はフォーマットタイプコードによって行われるラジオデータシステム（ＲＤＳ）受信器に関する。
【０００２】
【従来の技術】
自動車用ラジオ受信器は典型的に通常１乃至６の数字がラベル付けされ、所望の放送局にリンクするために手動で設定されうるプリセットボタンを含む。従って、ユーザはプリセットボタンを押すことによって迅速且つ容易にラジオ受信器を気に入った局へ再び同調させることができる。
【０００３】
【発明が解決しようとする課題】
車両がその通常の聴取領域から離れて運転されるとき、意図される局は範囲外となるため、プリセットボタンの手動の設定は無効となる。閾値以上の電界強度を有する局をサーチし、次に電界強度の昇順又は周波数の昇順に各プリセットボタンに対する局を記憶するオートセット（自動設定）又はオート・ストア（自動記憶）機能が知られている。移動中にオートセット機能を作動させた後に聴取可能局がこのようにプリセットボタンにリンクされうる一方で、ユーザは任意のプリセットにいかなる種類の局が記憶されるかを知るすべがない。
【０００４】
欧州のＲＤＳシステム及び米国のラジオブロードキャストデータシステム（ＲＢＤＳ）といったラジオデータシステムは、ラジオ放送と共に、夫々の放送局が動作している内容タイプ（例えばクラシック、ロック、ジャズ、ニュース又は特定のネットワーク番組）を同定する番組タイプコード又は番組同定コードを含む補助的な情報を伝送する。内容タイプは本発明によって、ユーザが通常各プリセットにおいて見出すことに慣れている局フォーマットと一貫して、オートセット動作中に放送局をプリセットボタンに割り当てるために使用される。
【０００５】
【課題を解決するための手段】
本発明は、同一の特定のタイプの局がホームエリアと同様に見出されるよう、車両の通常の聴取領域の外でオートセット機能の中にメモリプリセットボタンがプログラムされうるという利点を提供する。従って、ホームエリアにおいてプリセットボタンが手動で、例えばプリセット１がロックフォーマット局に、プリセット２がジャズ局にリンクされるよう設定されていれば、プリセット１及び２は移動中にオートセット動作を作動させた後は（同一の補助データを有する聴取可能局がホームエリア外のエリアで受信されうる限り）ロック及びジャズ局にリンクされたままとなる。
【０００６】
上述及び他の重要な利点は、各放送局が複数の所定の内容タイプのうちのどの内容タイプで動作しているかを同定する内容コードを含む補助データを含む、放送を受信する放送ラジオ受信器によって達成される。受信器上のプリセットボタンは受信器を各プリセットに関連付けられる夫々の放送局に再び同調させる。プリセットボタンは通常プリセットモード又はオートセットモードのいずれかで選択的に動作する。各プリセットボタンは、通常プリセットモードではユーザによって手動で決定される夫々の放送局との通常リンクを有する。各プリセットボタンは、オートセットモードではオートセット走査中に上記受信器によって自動的に割り当てられる夫々の放送局とのオートセットリンクを有する。通常プリセットメモリは、通常プリセットモードにおいて、各プリセットボタンにリンクされる放送局に対する夫々の周波数値及び夫々の内容コードを記憶する。オートセットメモリは、オートセットモードにおいて、各プリセットボタンとリンクされる放送局に対する夫々の周波数値を記憶する。オートセットモードで少なくとも１つの各プリセットボタンとリンクされる放送局は、上記通常プリセットモードにおいて同一のプリセットボタンにリンクされる放送局の内容コードによって決定される。
【０００７】
【発明の実施の形態】
図１は、ラジオプリセット１乃至６を選択するためのトグルスイッチ１１，１２及び１３を含むラジオ制御パネル１０を示す図である。プリセット局を手動で記憶するために、ユーザは同調（ＴＵＮＥ）上下トグルスイッチ１４及び／又は探索（ＳＥＥＫ）上下トグルスイッチ１５を使用して所望の放送局に同調させる。現在同調されている放送局の動作周波数がメモリへ転送され、同一のプリセットボタンを押すことによって後に呼び出されるよう、ユーザは現在同調されている放送局を記憶させようとするプリセットボタンをある一定の時間（例えば２秒間）に亘って押し下げる。例えば、プリセットボタン１はトグルスイッチ１１の左側を押すことによって作動される。一度放送局が特定のプリセットボタンに対して記憶されると、この局はプリセットボタンを（例えば２秒以下に亘って）迅速に押し、解放することによって呼び出されうる。
【０００８】
周波数情報を記憶させることに加え、本発明はまた以下説明されるように手動プリセット動作中に内容又はフォーマットコード情報を記憶させる。この情報はＡＵＴＯボタン１６を押すことによって始動されるオートセット動作中に使用される。通常のプリセットが手動によって記憶され、呼び出されうるとき、ラジオ受信器は通常モードで動作する。一度ＡＵＴＯボタン１６が押されると受信器はオートセットモードで動作され、このオートセットモードではプリセットボタンの割り当てが自動的に決定され、続く（例えば２秒以下の）プリセットボタンの手動の押し下げによって自動的に決定されたオートセット局が呼び出される。受信器はＡＵＴＯボタン１６の２度目の押し下げの後に通常モードに戻る。
【０００９】
図２に図示されるように、ＲＤＳ又はＲＢＤＳラジオ受信器２０はマイクロ制御器２１の制御の下で動作する。ラジオ放送信号はアンテナ２２によって受信され、マイクロ制御器２１によって制御されるチューナ２３へ中継される。マイクロ制御器２１からの「同調」信号はチューナ２３が同調されるべき周波数を命令する。ユーザはラジオボタン２４によってこの周波数を制御しうる。受信されたラジオ放送信号が補助データを含むＲＤＳ又はＲＢＤＳ信号であれば、補助データはチューナ２３とマイクロ制御器２１との間に接続される補助復号化器２５によって受信された信号から除去される。チューナ２３は受信された放送信号の信号強度又は他の品質尺度を同定する「品質」信号をマイクロ制御器２１に与える。チューナ２３からの音声信号はスピーカ２７によって再生される前に音声プロセッサ２６によって処理される。マイクロ制御器２１はまた各プリセットボタンに対するリンクを記憶するメモリ２８に接続される。
【００１０】
本発明のオートセット機能は、夫々のプリセットボタンに対して、同一のプリセットボタンに対して手動でリンクされた任意の放送局の内容タイプと一致する内容タイプを有する放送局を割り当てることに基づいて動作する。ここで使用される内容タイプは、放送局によって使用される内容（主題）フォーマット又は放送された番組の同一性をいう。従って、本発明で使用される内容タイプはＲＤＳ及びＲＢＤＳ用の規格で定義される番組タイプ（ＰＴＹ）カテゴリ又は番組同定（ＰＩ）コードのいずれかでありうる。例えば、ＲＢＤＳ用のＰＴＹコード１乃至１０はニュース、情報、スポーツ、トーク、ロック、クラシックロック、アダルトヒット、ソフトロック、トップ４０及びカントリーに割り当てられる。合計で３２のコードが与えられている。本発明によって説明されるオートセット機能を使用することにより、（ホームエリア外のエリアが同一フォーマットの聴取可能ＲＤＳ又はＲＢＤＳ局を有する限り）ユーザは同一の対応するプリセット番号を押すことによってホームエリアでアクセスするのに慣れているフォーマットと同一のフォーマットの局にアクセスしうる。
【００１１】
図３は、メモリ２８の構造を詳細に示す図である。各プリセット番号は、ユーザによって手動で設定される通常プリセットモード中の通常リンクに対する周波数と、通常リンクに対する内容タイプ情報と、以下説明される手順によって見出されたオートセット放送局に対する周波数情報と、各オートセットリンクに記憶される放送局に対応する品質情報とを記憶する対応するメモリ場所を有する。
【００１２】
図４は、オートセット周波数を夫々のプリセットボタンに割り当てる望ましい方法を示す図である。メモリプリセットは既に手動で設定されていると仮定される。内容タイプコードを含まない通常リンクが記憶されていなければ、手順はバイパスされ、オートセットリンクは従来どおり割り当てられ得る。
ラジオ制御パネル上でＡＵＴＯボタンが押されると、オートセット機能はチューナが帯域（即ちＡＭ／ＦＭ１／ＦＭ２）の最初に同調するよう命令されているステップ３０から開始する。ステップ３１では、チューナからの品質信号によって決定される次の聴取可能放送局に到達するよう局探索動作が実行される。聴取可能局に到達すると、ステップ３２において補助データが見出されたかどうかを決定する（即ちＲＤＳ又はＲＢＤＳ局が見出されたか）。補助データが見出されなければ、ステップ３３において、聴取可能な、非補助データ局の記憶・ソートが実行される。これは、どのプリセットも一致する内容タイプによって埋められていない場合に、手順の後の段階においてプリセットが局によって埋められるようにするためである。次にステップ３４において、探索動作によって帯域の終りまで到達したかどうかを検査する。帯域の終りに到達していなければ、次の聴取可能局を探索するためにステップ３１へ戻る。
【００１３】
ステップ３２で補助データが見出されれば、ステップ３５において受信された放送信号の内容コードが受信器のメモリ中に記憶されたいずれかの通常プリセット局の内容コードに一致するかどうかを決定する検査が行われる。一致しないことがが見出されれば、ステップ３４において局は記憶及び／又はソートされる。既存の通常プリセット内容タイプに一致することが見出されれば、ステップ３６において現在のオートセット動作中に既にその一致するプリセットに対してオートセット局が記憶されているかどうかを決定する検査が行われる。まだ局が記憶されていなければ、現在の放送局の周波数はステップ３７においてそのプリセットに対するオートセット周波数として記憶される。次にステップ３４において、この探索動作に対して帯域の終りに達しているかどうかを決定する検査が行われる。
【００１４】
望ましい実施例では、同一の内容タイプコードを有する１つ以上のプリセットがあれば、その内容タイプの全てのプリセットが正しい内容タイプコードの現在受信可能な局にリンクされるよう、放送局はこのオートセット動作に対する各プリセットへ伝播される。ステップ３６において一致する補助データを有する新しく見出された放送局に対して既にオートセット局が記憶されていれば、ステップ３８において異なる周波数をまだ設定されていないそのタイプコードの更なるプリセットがあるかどうかを決定する検査が行われる。そのようなプリセットが見出されれば、ステップ４０において新しく同調された周波数はこれらの追加的なプリセットの中にオートセット周波数として記憶される。次にステップ３４において、帯域の終りに達しているかどうかを決定する検査が行われる。ステップ３８においてそれ以上現在の内容コードのプリセットが見出されなければ、ステップ４１において受信品質の比較が行われる。現在同調されている局の品質が特定のプリセットに対して記憶された品質よりも良ければ、このことはステップ４１において同定され、ステップ３７において現在同調されている周波数はここでプリセットに対するオートセット周波数として設定される（その内容コードに対する局は最も悪い局が廃棄されるよう品質に従ってソートされる）。ステップ４１において品質が記憶された品質よりも良くないことが見出されれば、現在同調されている放送局は必要であれば後に埋められるためにステップ３３において記憶及び／又はソートされる。
【００１５】
ステップ３４において現在の探索に対して帯域の終りに達していれば、ステップ４２において、補助データを有さない、又は手動で設定された通常のプリセットの内容タイプコードに一致しない内容タイプコードを有する放送局のステップ３３から得られるリストを使用して、オートセット周波数に割り当てられていない全てのプリセットを埋める。このようにして、少なくとも幾つかのプリセットが聴取可能局を割り当てられている最大の可能性がある。ステップ４３において、ラジオ制御パネル上に「オートセット完了」が表示され、オートセット手順はステップ４４において終了する。ディスプレイは、再びＡＵＴＯボタンが押されるまでオートセットモードが作動していることを表示し続ける。
【００１６】
図４の方法では、オートセット機能を完了するのに必要とされる時間を最小化するよう、オートセット局走査は帯域全体に亘って一回実行される。図５は、帯域の多数回の通過を必要とするが、実行するのが概念的により簡単な他の実施例による方法を示す図である。処理はステップ５０において開始し、ステップ５１において最初のプリセット（即ちプリセット１）が選択される。ステップ５２において、聴取可能局の探索が行われる。探索は典型的には最初の聴取可能局で停止しるが、最も強い局をサーチする、又は他の聴取可能性規準を使用する他の実施例が使用されうる。ステップ５３では、見出された局が、プリセットが割り当てられた内容タイプと同一の内容タイプとして同定する補助データを伝送しているかどうかを決定する検査が行われる。内容タイプが一致しなければ、ステップ５４において帯域の終りに達したかどうかを決定する検査が行われる。達していなければ、ステップ５２において次の聴取可能局に対して探索が行われる。見出された局の内容コードが現在のプリセットに関連するコードに一致すれば、ステップ５５において、この現在の局が以前のオートセットプリセットの中に既に記憶されているかどうかを決定する検査が行われる。既に記憶されていれば、ステップ５４において帯域の終りに達したかどうかを決定する検査が行われる。現在の局がまだ記憶されていなければ、ステップ５６において現在のプリセットに対するオートセット周波数として記憶される。現在の周波数が記憶された後、又はステップ５４において決定されるように帯域の終りに達した後、ステップ５７において全てのプリセットが処理されたかどうかを決定する検査が行われる。プリセットがそれに割り当てられたオートセット周波数を有するままであれば、ステップ５８において次のプリセットが選択され、チューナは帯域の最初に戻るよう命令され、次にステップ５２において最初の聴取可能局の探索が開始される。
【００１７】
ステップ５７において一度全てのプリセットが処理されると、ステップ６０において従来どおり、割り当てられていないプリセットが埋められる。ステップ６１において、ラジオのディスプレイは、オートセットが完了したことを表示し、処理はステップ６２で終了する。
放送局によって送信された内容コードは時間に亘って一定とは限らない。例えば、局は一日のうちにフォーマットを変化させるか、又は番組同定コードは局によって放送されうるあるプログラミングによって変化しうる。通常プリセット情報を最新に維持するために、通常受信器動作は図６に示されるようにプリセットの通常リンクに対する記憶された内容タイプコードを連続的に更新するよう変更されることが望ましい。この手順は受信器がオートセットリンクを作動させたオートセットモードにあるときは使用されない。更新処理はステップ６５において受信器が通常モードで新しい放送局に再び同調されたときに開始する。ステップ６６において、同調された周波数は、（プリセットボタンを押し下げることによって局が呼び出されるときなどに）プリセット周波数と一致するかどうかを決定する検査が行われる。周波数がプリセットと関連づけられなければ、方法はステップ６７で終了する。ステップ６８において、現在受信されている内容タイプコードがプリセットに対して記憶された内容タイプコードと異なるかどうかを決定する検査が行われる。差異がなければ、方法はステップ６７において終了する。差異があれば、ステップ７０において新しい内容タイプコードはプリセットと関連づけられて記憶され、方法はステップ７１で終了する。
【図面の簡単な説明】
【図１】本発明に使用される自動車用オーディオシステムの制御パネルを示す平面図である。
【図２】本発明に使用されるＲＤＳ受信器を示すブロック図である。
【図３】プリセットボタンに関連づけられたメモリ内容を示すメモリマップを示す図である。
【図４】本発明を動作させるための方法の望ましい実施例を示すフローチャートである。
【図５】本発明の他の実施例を示すフローチャートである。
【図６】受信器動作中に局タイプコードを最新に維持する方法を示すフローチャートである。
【符号の説明】
１０  ラジオ制御パネル
１１，１２，１３  トグルスイッチ
１４  同調（ＴＵＮＥ）上下トグルスイッチ
１５  探索（ＳＥＥＫ）上下トグルスイッチ
１６  ＡＵＴＯボタン
２０  ＲＤＳ又はＲＢＤＳラジオ受信器
２１  マイクロ制御器
２２  アンテナ
２３  チューナ
２４  ラジオボタン
２５  補助復号化器
２６  音声プロセッサ
２７  スピーカ
２８  メモリ
【図１】
0004361622.tif 000002
【図２】
0004361622.tif 000003
【図３】
0004361622.tif 000004
【図４】
0004361622.tif 000005
【図５】
0004361622.tif 000006
【図６】
0004361622.tif 000007